【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
ブラウザで表示するウェブページの表示履歴を管理するウェブページ閲覧履歴管理装置であって、
ウェブページを表示したときに、少なくともウェブページのインターネット上の場所を示すアドレス情報と該ウェブページの内容を示す識別情報とを対応付けて記憶する第一の記憶手段と、
第一のウェブページのアドレス情報と、第二のウェブページのアドレス情報と、該第一のウェブページと第二のウェブページの表示順序を記憶する第二の記憶手段と、
前記第一の記憶手段によって記憶された識別情報を、前記第二の記憶手段で記憶された表示順序に従って、前記ウェブページ間の遷移及び分岐が識別可能な形式で表示する表示手段と、
前記表示手段で表示された複数の識別情報の中から、前記ブラウザに再表示させるべきウェブページを示す識別情報の選択指示を受け付ける受付手段と、
前記受付手段で受け付けた前記識別情報の選択指示によって該識別情報に対応付けて記憶されたアドレス情報を読み込み、ブラウザに該識別情報と対応付いたウェブページを再表示させる再表示手段と
を備えることを特徴とするウェブページ閲覧履歴管理装置。
【請求項２】
前記第一の記憶手段は、前記アドレス情報と前記識別情報と、さらに該ウェブページを表示したブラウザを識別するブラウザ識別情報を記憶し、
前記表示手段は、前記第一の記憶手段によって記憶されたブラウザ識別情報に基づき、前記複数の識別情報のうち、１つのブラウザにおいて表示したウェブページの表示範囲を区別して表示することを特徴とする請求項１に記載のウェブページ閲覧履歴管理装置。
【請求項３】
ウェブページを遷移させるためのユーザ指示が複数種類存在し、
前記表示手段は、複数のブラウザに渡ってウェブページが遷移する場合に、前記ユーザ指示の種類に応じて各ブラウザ間の遷移関係を識別可能に表示することを特徴とする請求項２に記載のウェブページ閲覧履歴管理装置。
【請求項４】
前記再表示手段は、前記選択指示された識別情報に対応するブラウザ識別情報を持つブラウザが起動していない場合に、前記第一の記憶手段によって記憶されたブラウザ識別情報に基づき該ブラウザを起動して、該識別情報に対応するウェブページのアドレス情報を該ブラウザに通知することでウェブページを表示させることを特徴とする請求項２に記載のウェブページ閲覧履歴管理装置。
【請求項５】
前記表示手段は、使用中のブラウザと該ブラウザで表示しているウェブページの識別情報を、他のウェブページの識別情報とは区別して表示可能にすることを特徴とする請求項２乃至４のいずれか１項に記載のウェブページ閲覧履歴管理装置。
【請求項６】
前記受付手段が前記識別情報からウェブページを表示させる指示を受け付けた場合、前記再表示手段は該ウェブページを表示する前記ブラウザを表示可能にし、ウェブページのアドレス情報を該ブラウザに通知することで該ウェブページを表示させることを特徴とする請求項１乃至５に記載のウェブページ閲覧履歴管理装置。
【請求項７】
ブラウザで表示するウェブページの表示履歴を管理するウェブページ閲覧履歴管理装置の制御方法であって、
第一の記憶手段が、ウェブページを表示したときに、少なくともウェブページのインターネット上の場所を示すアドレス情報と該ウェブページの内容を示す識別情報とを対応付けて記憶する第一の記憶工程と、
第二の記憶手段が、第一のウェブページのアドレス情報と、第二のウェブページのアドレス情報と、該第一のウェブページと第二のウェブページの表示順序を記憶する第二の記憶工程と、
表示手段が、前記第一の記憶工程によって記憶された識別情報を、前記第二の記憶工程で記憶された表示順序に従って、前記ウェブページ間の遷移及び分岐が識別可能な形式で表示する表示工程と、
受付手段が、前記表示工程で表示された複数の識別情報の中から、前記ブラウザに再表示させるべきウェブページを示す識別情報の選択指示を受け付ける受付工程と、
再表示手段が、前記受付工程で受け付けた前記識別情報の選択指示によって該識別情報に対応付けて記憶されたアドレス情報を読み込み、ブラウザに該識別情報と対応付いたウェブページを再表示させる再表示工程と
を有することを特徴とするウェブページ閲覧履歴管理装置の制御方法。
【請求項８】
コンピュータに読込ませ実行させることで、前記コンピュータを、ブラウザで表示するウェブページの表示履歴を管理するウェブページ閲覧履歴管理装置として機能させるコンピュータプログラムであって、
前記コンピュータを、
ウェブページを表示したときに、少なくともウェブページのインターネット上の場所を示すアドレス情報と該ウェブページの内容を示す識別情報とを対応付けて記憶する第一の記憶手段、
第一のウェブページのアドレス情報と、第二のウェブページのアドレス情報と、該第一のウェブページと第二のウェブページの表示順序を記憶する第二の記憶手段、
前記第一の記憶手段によって記憶された識別情報を、前記第二の記憶手段で記憶された表示順序に従って、前記ウェブページ間の遷移及び分岐が識別可能な形式で表示する表示手段、
前記表示手段で表示された複数の識別情報の中から、前記ブラウザに再表示させるべきウェブページを示す識別情報の選択指示を受け付ける受付手段、
前記受付手段で受け付けた前記識別情報の選択指示によって該識別情報に対応付けて記憶されたアドレス情報を読み込み、ブラウザに該識別情報と対応付いたウェブページを再表示させる再表示手段
として機能させることを特徴とするコンピュータプログラム。
【請求項９】
請求項８に記載のコンピュータプログラムを格納したことを特徴とするコンピュータ可読記憶媒体。
【手続補正２】
【補正対象書類名】明細書
【補正対象項目名】発明の名称
【補正方法】変更
【補正の内容】
【発明の名称】ウェブページ閲覧履歴管理装置及びその制御方法、並びに、コンピュータプログラム及びコンピュータ可読記憶媒体
【手続補正３】
【補正対象書類名】明細書
【補正対象項目名】００１４
【補正方法】変更
【補正の内容】
【００１４】
本発明は、かかる問題点に鑑みなされたものである。すなわち、ブラウザで表示されたウェブページの表示遷移及び分岐を記憶し、それらを視覚的に選択可能に表示し、過去の操作で表示した経験のあるウェブページを表示履歴の中から選択して簡単に再表示する技術を提供しようとするものである。
【手続補正４】
【補正対象書類名】明細書
【補正対象項目名】００１５
【補正方法】変更
【補正の内容】
【００１５】
この課題を解決するため、例えば本発明のＷｅｂページ閲覧履歴管理装置は以下の構成を備える。すなわち、
ブラウザで表示するウェブページの表示履歴を管理するウェブページ閲覧履歴管理装置であって、
ウェブページを表示したときに、少なくともウェブページのインターネット上の場所を示すアドレス情報と該ウェブページの内容を示す識別情報とを対応付けて記憶する第一の記憶手段と、
第一のウェブページのアドレス情報と、第二のウェブページのアドレス情報と、該第一のウェブページと第二のウェブページの表示順序を記憶する第二の記憶手段と、
前記第一の記憶手段によって記憶された識別情報を、前記第二の記憶手段で記憶された表示順序に従って、前記ウェブページ間の遷移及び分岐が識別可能な形式で表示する表示手段と、
前記表示手段で表示された複数の識別情報の中から、前記ブラウザに再表示させるべきウェブページを示す識別情報の選択指示を受け付ける受付手段と、
前記受付手段で受け付けた前記識別情報の選択指示によって該識別情報に対応付けて記憶されたアドレス情報を読み込み、ブラウザに該識別情報と対応付いたウェブページを再表示させる再表示手段とを備える。
【手続補正５】
【補正対象書類名】明細書
【補正対象項目名】００１６
【補正方法】変更
【補正の内容】
【００１６】
本発明によれば、ブラウザで表示されたウェブページの表示遷移及び分岐を記憶し、それらを視覚的に選択可能に表示し、過去の操作で表示した経験のあるウェブページを表示履歴の中から選択して簡単に再表示することが可能になる。